(57)【要約】【課題】低流量での使用時にも適温の湯水を吐出できる給湯システムを提供する。【解決手段】給湯システムは、吐出口から吐出されるべき水を加熱する加熱部３０と、加熱部３０と吐出口との間に設けられるタンク３２と、を備える。タンク３２は、タンク３２は、可動式の板状の仕切４４を有し、この仕切４４によってその内部が第１の領域３２ａと第２の領域３２ｂとに区切られている。第１の領域３２ａは、加熱部３０内を流れる水の流量に応じてその容量が変化するよう構成されている。【選択図】図２
2016070570.tif 000002
【特許請求の範囲】
【請求項１】
吐出口から吐出されるべき水を加熱する加熱部と、
前記加熱部と前記吐出口との間に設けられる貯留部と、を備え、
前記貯留部は、水路を流れる水の流量に応じて貯留量が変化するよう構成されていることを特徴とする給湯システム。
【請求項２】
前記貯留部は、内部に仕切りが設けられたタンクであり、その仕切りを移動させることにより、貯留量が変化することを特徴とする請求項１に記載の給湯システム。
【請求項３】
前記貯留部と前記吐出口との間に設けられ、水路を流れる水の流量を検出する検出部と、
前記仕切りを移動させる駆動部と、を備え、
前記駆動部は、水路を流れる水の流量が所定の流量以下の場合、前記貯留部の貯留量が増大するよう前記仕切りを移動させることを特徴とする請求項２に記載の給湯システム。
【請求項４】
吐出中に、前記仕切りに対して前記貯留部の前記貯留量が増大する方向に付勢する付勢部材を備え、
前記仕切りは、吐出流量が小さくなるほど、貯留量が増大するよう移動することを特徴とする請求項２に記載の給湯システム。
【請求項５】
前記加熱部と前記貯留部との間に設けられ、水路を開閉する開閉部を備え、
前記開閉部が閉状態とされた後も、前記貯留部に貯留された水を吐出することにより吐出を継続することを特徴とする請求項１から４のいずれかに記載の給湯システム。
【発明の詳細な説明】
【技術分野】
【０００１】
本発明は、給湯システムに関する。
【背景技術】
【０００２】
使用時にほぼ瞬間的にお湯を作る瞬間式の給湯システムが知られている。一般的に、瞬間式の給湯システムは、加熱装置と、加熱装置内を流れる水の流量を検知するための流量センサとを備え、流量センサが水の流れを検知すると、加熱装置が稼働する。従来では、例えば特許文献１に記載されるような給湯システムが提案されている。
【先行技術文献】
【特許文献】
【０００３】
【特許文献１】特開２０００−１３０８４８号公報
【発明の概要】
【発明が解決しようとする課題】
【０００４】
使用流量が少ない状態で加熱装置が稼働すると所望の温度よりも高いお湯が吐出される虞があるため、特許文献１に記載されるような給湯システムでは、通常、「作動流量」が定められており、作動流量を下回る流量で使用した場合には、加熱装置が稼働しないよう構成されている。そのため、使用水量が少ない場合、加熱装置が稼働せず、湯を吐出できない。
【０００５】
本発明はこうした状況に鑑みてなされたものであり、その目的は、低流量での使用時にも適温の湯水を吐出できる給湯システムを提供することにある。
【課題を解決するための手段】
【０００６】
上記課題を解決するために、本発明のある態様の吐水システムは、吐出口から吐出されるべき水を加熱する加熱部と、加熱部と吐出口との間に設けられる貯留部と、を備える。貯留部は、水路を流れる水の流量に応じて貯留量が変化するよう構成されている。
【０００７】
この態様によると、吐出口から吐出される水の流量と貯留部に流れ込む水の流量とを合わせた流量が加熱部内を流れるため、吐出される水の流量が加熱部の作動流量より少ない場合であっても、加熱部内を流れる水の流量を作動流量以上にすることが可能となる。
【０００８】
貯留部は、内部に仕切りが設けられたタンクであり、その仕切りを移動させることにより、貯留量が変化してもよい。この場合、構造が比較的簡単となる。
【０００９】
貯留部と吐出口との間に設けられ、水路を流れる水の流量を検出する検出部と、仕切りを移動させる駆動部と、を備えてもよい。駆動部は、水路を流れる水の流量が所定の流量以下の場合、貯留部の貯留量が増大するよう仕切りを移動させてもよい。この場合、加熱部内に、作動流量以上の流量の水を安定して流すことが可能となる。
【００１０】
吐出中に、仕切りに対して貯留部の貯留量が増大する方向に付勢する付勢部材を備えてもよい。仕切りは、吐水流量が小さくなるほど、貯留量が増大するよう移動してもよい。この場合、構成が比較的簡単になり、製造コストを低減できる。
【００１１】
加熱部と貯留部との間に設けられ、水路を開閉する開閉部を備えてもよい。開閉部が閉状態とされた後も、貯留部に貯留された水を吐出することにより吐出を継続してもよい。
【００１２】
なお、以上の構成要素の任意の組み合わせや、本発明の構成要素や表現を方法、装置、システムなどの間で相互に置換したものもまた、本発明の態様として有効である。
【発明の効果】
【００１３】
本発明によれば、低流量での使用時にも適温の湯水を吐出できる給湯システムを提供できる。
【図面の簡単な説明】
【００１４】
【図１】第１の実施の形態に係る給湯システムを示す模式図である。
【図２】図１の給湯部の構成を示す図である。
【図３】図１の制御部の機能および構成を示すブロック図である。
【図４】図４（ａ）〜（ｄ）は、給湯システムの動作を説明するための説明図である。
【図５】第２の実施の形態に係る給湯部の構成を示す。
【図６】図６（ａ）〜（ｄ）は、給湯システムの動作を説明するための説明図である。
【発明を実施するための形態】
【００１５】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１６】
（第１の実施の形態）
第１の実施の形態に係る給湯システムの概要は以下の通りである。
給湯システムは、加熱部と、加熱部と吐水口との間に設けられる貯留部と、を備える。貯留部は、ユーザが所望する吐出流量が小さい場合、その貯留量を増大させる。すると、加熱部で温められた水は、吐水口への水路に加え、貯留部にも流れ出る。したがって、加熱部内には、吐出流量と貯留部に流れ込む流量とを合わせた流量の水が流れることになる。つまり、吐出流量が少ない場合でも、加熱部内を流れる水の流量を作動流量以上にすることが可能となる。その結果、低流量での使用時にも適温の湯水を吐出することが可能となる。
【００１７】
図１は、第１の実施の形態に係る給湯システム１０を示す。給湯システム１０は、操作部１２と、給湯部１４と、第１電磁弁１６と、第２電磁弁１８と、湯水混合部２０と、吐出部２２と、制御部２４と、を備える。
【００１８】
操作部１２は、給湯システム１０のユーザインタフェースとして機能する。操作部１２は、タッチパネル式の表示部を有し、表示部には操作画面が表示される。この操作画面は、温度操作欄６０と、流量操作欄６２と、吐出操作欄６４とを含む。ユーザは、温度操作欄６０の温度設定ボタン６０ａをタッチすることにより、吐出されるべき水の温度（以下、設定温度とよぶ）を変更する。設定温度は、温度表示欄６０ｂに表示される。またユーザは、流量操作欄６２の流量設定ボタン６２ａをタッチすることにより、吐出されるべき水の流量（以下、設定流量とよぶ）を変更する。設定流量は、流量表示欄６２ｂに表示される。またユーザは、吐出操作欄６４の吐出操作ボタン６４ａをクリックすることにより、水の吐出を開始・終了させる。
【００１９】
給湯部１４は、給水管２６から止水栓２８を経由して供給される水（以下、冷水ともよぶ）を温める。給湯部１４の詳細な機能および構成については図２で後述する。第１電磁弁１６は、給湯部１４で温められた水（以下、湯水ともよぶ）を湯水混合部２０に供給するための水路を開閉する。第１電磁弁１６が開くと、湯水が湯水混合部２０に流れ込み、冷水が給湯部１４に流れ込む。第２電磁弁１８は、冷水を直接湯水混合部２０に供給するための水路を開閉する。第２電磁弁１８が開くと、冷水が湯水混合部２０に流れ込む。
【００２０】
給湯部１４で温められた水と直接給水管２６から供給された水は、すなわち湯水と冷水は、湯水混合部２０で混合され、吐出部２２の吐出口２２ａから吐出される。後述するように、第１電磁弁１６から流れ出る水の流量が加熱部３０の作動流量より少ない場合は加熱部３０による加熱の開始と停止とが繰り返されるため、給湯部１４から提供される水の温度が不安定になる虞がある。そのため、本実施の形態では、給湯部１４において設定温度よりも高い温度（例えば１〜２度高い温度）に温め、この湯水と冷水とを混合する。これにより、設定温度以上でかつ温度のふらつきの小さい湯水を吐出できる。
【００２１】
制御部２４は、操作部１２から吐出開始の指示を受けると、給湯部１４と、第１電磁弁１６と、第２電磁弁１８とを制御して設定された温度、流量の水を吐出部２２から吐出させる。また制御部２４は、操作部１２から吐出終了の指示を受けると、給湯部１４と、第１電磁弁１６と、第２電磁弁１８とを制御して水の吐出を終了させる。制御部２４の詳細な機能および構成については図３で後述する。
【００２２】
図２は、図１の給湯部１４の構成を示す。給湯部１４は、加熱部３０と、タンク３２と、第３電磁弁３４と、流量センサ３６と、駆動部３８と、を含む。加熱部３０は、冷水を加熱する。加熱部３０は、いわゆる瞬間式の加熱器であり、その内部にガス式のヒータ（不図示）を有する。なお、ヒータは電気式のヒータであってもよい。また加熱部３０は、その内部に、加熱部３０内を流れる水の流量を検知する流量センサ（不図示）を有する。加熱部３０は、流量センサが所定の作動流量以上の流量を検知している間、その内部を流れる水をヒータにより加熱する。それ以外の場合、すなわち流量センサが検知する流量が作動流量より小さい場合や流量が小さすぎるために流量センサが流量を検知できない場合、加熱部３０は、ヒータによる加熱を停止する。加熱部３０で温められた湯水は湯水混合部２０（図２では不図示）に繋がる水路である出水管４２あるいはタンク３２に流れ出る。
【００２３】
第３電磁弁３４は出水管４２に設けられる。第３電磁弁３４は、制御部２４からの指示を受けて開閉する。流量センサ３６は、出水管４２に設けられる。流量センサ３６は、第３電磁弁３４よりも下流に設けられる。流量センサ３６は、水路を流れる水の流量を測定する。流量センサ３６により測定された流量は、制御部２４に送られる。
【００２４】
タンク３２は、可動式の板状の仕切４４を有し、この仕切４４によってその内部が第１の領域３２ａと第２の領域３２ｂとに区切られている。仕切４４には、ダイヤフラム等が用いられる。第１の領域３２ａは、第３電磁弁３４と流量センサ３６との間において出水管４２に通じる。第１の領域３２ａは湯水を貯める貯留部として機能する。第１の領域３２ａの容量は仕切４４が移動することによって変動する。第２の領域３２ｂは、給水管２６（図２では不図示）に繋がる入水管４０に通じる。駆動部３８は、制御部２４からの指示を受けて、仕切４４を移動させる。駆動部３８は、例えばモータを含んで構成される。
【００２５】
図３は、制御部２４の機能および構成を示すブロック図である。これら各ブロックは、ハードウェア的には、コンピュータのＣＰＵやメモリをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００２６】
制御部２４は、表示制御部５０と、入力受付部５２と、開閉制御部５４と、駆動制御部５６と、を含む。表示制御部５０は、操作部１２に所定の操作画面を表示させる。入力受付部５２は、この操作画面を介して入力された情報を受け付ける。例えば、入力受付部５２は、吐出させる水の温度、流量、および吐出の開始・終了の指示を受け付ける。
【００２７】
開閉制御部５４は、第１電磁弁１６、第２電磁弁１８、および第３電磁弁３４の開閉を制御する。開閉制御部５４は、入力受付部５２が吐出開始の指示を受け付けると、第１電磁弁１６および第２電磁弁１８に開弁指示を送り、これらを開かせる。開閉制御部５４は特に、第１電磁弁１６から流れ出る流量と第２電磁弁１８から流れ出る流量とを合わせた流量が設定流量となるよう第１電磁弁１６および第２電磁弁１８を開かせる。また、開閉制御部５４は、入力受付部５２が吐出終了の指示を受け付けると、第１電磁弁１６および第２電磁弁１８に閉弁指示を送り、これらを閉じさせる。また開閉制御部５４は、後述のように第１の領域３２ａ内の湯水を湯水混合部２０に流し出す場合に、第３電磁弁３４に閉弁指示を送り、これを閉じさせる。
【００２８】
駆動制御部５６は、駆動部３８に駆動指示を送り、駆動部３８により仕切４４を移動させる。駆動制御部５６は特に、設定流量に基づく第１電磁弁１６の開度が小さく、第１電磁弁１６から湯水混合部２０に流れ出る流量（すなわち流量センサ３６によって計測された流量）が作動流量より少ない場合、第１の領域３２ａの容量が増加するよう仕切４４を移動させる。これにより、出水管４２から第１電磁弁１６を通って湯水混合部２０に流れ出る流量と、容量が増加する第１の領域３２ａに流れ込む流量と、を合わせた流量が加熱部３０内を流れるため、第１電磁弁１６から流れ出る流量が作動流量より少ない場合でも、加熱部３０内を流れる流量を作動流量以上に保つことができる。
【００２９】
図４（ａ）〜（ｄ）は、給湯部１４の動作を説明するための説明図である。ユーザが操作部１２の吐出操作ボタン６４ａをタッチすると、開閉制御部５４は第１電磁弁１６および第２電磁弁１８に開弁指示を送り、これらを開弁する。設定流量に基づく第１電磁弁１６の開度に応じた流量、すなわち第１電磁弁１６から流れ出る流量が作動流量以上の場合、加熱部３０には作動流量以上の水が流れることになる。したがって、加熱部３０内を流れる水は加熱部３０により加熱され、温められた水は図４（ａ）のごとく主に出水管４２に流れ出る。
【００３０】
第１電磁弁１６から流れ出る流量が作動流量を下回っている場合、駆動制御部５６は駆動部３８を駆動させて図４（ｂ）のごとくタンク３２の仕切４４を移動させる。駆動制御部５６は特に、給湯部１４から流れ出る水の流量と、仕切４４が移動して第１の領域３２ａの容量が増大することによって第１の領域３２ａに流れ込む水の流量と、を合わせた流量が作動流量以上となるよう仕切４４を移動させる。この場合、第１電磁弁１６から流れ出る流量は作動流量を下回っているものの、加熱部３０には作動流量以上の水が流れる。したがって、加熱部３０内を流れる水は加熱部３０により加熱され、温められた水は出水管４２とタンク３２に流れ出る。
【００３１】
図４（ｃ）のごとく、第１の領域３２ａの容量が最大となる第１の位置まで仕切４４が移動すると、駆動制御部５６は、駆動部３８による仕切４４の移動を停止する。仕切４４の移動停止と実質的に同時に、開閉制御部５４は、第３電磁弁３４を閉弁する。この状態では、出水管４２に通じる第１の領域３２ａには大気圧と略等しい圧力がかかり、入水管４０に通じる第２の領域３２ｂには大気圧よりも高い圧力である水道管圧と略等しい圧力がかかるため、仕切４４は第１の領域３２ａの容量が減少する方向に移動する。これにより、第１の領域３２ａから出水管４２に湯水が流れ出て、第１電磁弁１６の開度に応じた湯水が湯水混合部２０に流れ出る。なお、第３電磁弁３４を閉じると加熱部３０を流れる水の流量が実質的にゼロになるため、加熱部３０はこの間はヒータによる加熱を停止する。
【００３２】
図４（ｄ）のごとく第１の領域３２ａの容量が最小となる第２の位置まで仕切４４が移動すると、開閉制御部５４は、第３電磁弁３４を開く。第３電磁弁３４が開くのと実質的に同時に、駆動制御部５６は駆動部３８を駆動させ、第１の領域３２ａの容量が増大する方向に仕切４４を再度移動させる。
【００３３】
こうした仕切４４の移動と第３電磁弁３４の開閉とを繰り返すことによって、第１電磁弁１６から流れ出る流量が作動流量より少ない場合であっても、作動流量以上の水が加熱部３０内を流れる。
【００３４】
以上、第１の実施の形態に係る給湯システム１０について説明した。
仕切４４を移動させて第１の領域３２ａの容量を変化させることにより、第１電磁弁１６から流れ出る流量が作動流量より少ない場合でも、加熱部３０内を流れる水の流量を作動流量以上に維持することができる。これにより、低流量での使用時にも適温の湯水を吐出することが可能となる。また、タンク３２内に設けられた仕切４４を移動させるだけで第１の領域３２ａの容量を変化できるため、給湯部１４の構造が比較的簡単となる。
【００３５】
仕切４４は、例えばモータなどの制御可能な機械を含んで構成される駆動部３８によって動かされる。そのため、加熱部３０内に、作動流量以上の流量の水を安定して流すことが可能となる。
【００３６】
また、第３電磁弁３４を閉じたときに第１の領域３２ａに貯留された湯水が吐出される。つまり、第１の領域３２ａに貯留された湯水も吐出水として使用され、節水に寄与しうる。
【００３７】
加熱部３０は、給湯システムに含まれる一般的な加熱部、すなわち作動流量以上の水が流れている場合に加熱する加熱部であるため、既存の給湯システムを本実施の形態に係る技術的思想を適用して改造する場合、基本的にはタンク３２および駆動部３８を追加した上で制御部２４のソフトウェアを更新するだけでよい。したがって、比較的低コストで既存の給湯システムを改造することができる。
【００３８】
（第２の実施の形態）
第２の実施の形態に係る給湯システム１０について説明する。第２の実施の形態に係る給湯システム１０は、給湯部１４および制御部２４の機能及び構成が第１の実施の形態とは異なる。以下、第１の実施の形態と相違する点に主眼を置いて説明する。
【００３９】
図５は、給湯部１４の構成を示す。給湯部１４は、駆動部３８を有しない。また、タンク３２は、可動式の仕切４４に加え、付勢部材４６を有する。ここでは、付勢部材４６はバネであり、第１の領域３２ａ内に設けられる。図５では、非吐出時（すなわち第１電磁弁１６および第２電磁弁１８が閉じている状態）における仕切４４の位置を示す。非吐出時は、第１の領域３２ａと第２の領域３２ｂには等しい水圧がかかる。吐出が開始すると、第１の領域３２ａにかかる水圧が下がるため、仕切４４は第１の領域３２ａの容量が減少する方向に移動し、第１の領域３２ａにかかる水圧および付勢部材４６の付勢力と、第２の領域３２ｂにかかる水圧とが釣り合う位置で停止する。設定流量が大きくなるほど第１の領域３２ａにかかる水圧が下がり、仕切４４は第１の領域３２ａの容量が減少する方向により移動する。逆に、設定流量が小さくなるほど第１の領域３２ａにかかる水圧が上がり、仕切４４は第１の領域３２ａの容量が増大する方向により移動する。
【００４０】
図６（ａ）〜（ｄ）は、給湯部１４の動作を説明するための説明図である。第１電磁弁１６から流れ出る流量が作動流量以上の場合は、第１の実施の形態と同様に、加熱部３０は加熱部３０内を流れる水を加熱し、加熱部３０で温められた水は図６（ａ）のごとく主に出水管４２に流れ出る。第１電磁弁１６から流れ出る流量が少なくなると、第１の領域３２ａ内の水圧が上がるため、図６（ｂ）のごとく、仕切４４は第１の領域３２ａの容量が増大する方向に移動し、そこで停止する。
【００４１】
開閉制御部５４は、流量センサ３６によって検知される流量が加熱部３０の作動流量を下回ると、第３電磁弁３４を閉じる。なお、開閉制御部５４は、流量センサ３６によって検知される流量が作動流量に所定の余裕率を考慮した流量を下回った場合に第３電磁弁３４を閉じてもよい。この場合、加熱部３０を流れる水の流量が作動流量を下回るのを避けることができる。
【００４２】
第３電磁弁３４が閉じると、出水管４２に通じる第１の領域３２ａには大気圧と略等しい圧力がかかり、入水管４０に通じる第２の領域３２ｂには大気圧よりも高い圧力である水道管圧と略等しい圧力がかかるため、図６（ｃ）のごとく、大気圧および付勢部材４６の付勢力と、第２の領域３２ｂの水圧と、が釣り合う位置まで仕切４４は移動する。仕切４４は特に、第１の領域３２ａの容量が減少する方向に移動する。これにより、第１の領域３２ａから出水管４２に湯水が流れ出て、第１電磁弁１６の開度に応じた湯水が湯水混合部２０に流れ出る。なお、第３電磁弁３４を閉じると加熱部３０を流れる水の流量が実質的にゼロになるため、加熱部３０はこの間はヒータによる加熱を停止する。
【００４３】
開閉制御部５４は、仕切４４が所定の位置に達したことを検知すると、第３電磁弁３４を開く。すると、図６（ｄ）のごとく、付勢部材４６の付勢力および第１の領域３２ａの水圧と、第２の領域３２ｂの水圧との差により仕切４４は移動する。仕切４４は特に、第１の領域３２ａの容量が増大する方向に移動する。これにより、給湯部１４から流れ出る水の流量と、仕切４４が移動して第１の領域３２ａの容量が増大することによって第１の領域３２ａに流れ込む水の流量と、を合わせた流量が加熱部３０を流れる。付勢部材４６の付勢力は、加熱部３０を流れる水の流量が作動流量を超えるよう調整されている。なお、第３電磁弁３４を開くと加熱部３０を水が流れるため、加熱部３０はヒータによる加熱を開始する。開閉制御部５４は、流量センサ３６によって検知される流量が加熱部３０の作動流量（あるいは作動流量に所定の余裕率を考慮した流量）を下回ると、すなわち、第１の領域３２ａにかかる水圧および付勢部材４６の付勢力と、第２の領域３２ｂにかかる水圧とが釣り合う位置まで仕切４４が移動すると、第３電磁弁３４を再び閉じる。すると、仕切４４は再び図６（ｃ）のごとく、第１の領域３２ａの容量が減少する方向に移動する。
【００４４】
このように第３電磁弁３４の開閉を繰り返すことによって、第１電磁弁１６から流れ出る流量が作動流量より少ない場合であっても、作動流量以上の水が加熱部３０内を流れる。
【００４５】
以上、第２の実施の形態に係る給湯システム１０について説明した。
本実施の形態の給湯システム１０によれば、第１の実施の形態の給湯システム１０と同様の作用効果が奏される。加えて、本実施の形態の給湯システム１０は、駆動部の代わりに付勢部材４６を備える。つまり、比較的複雑な構成を有する駆動部が不要でその制御も不要であるため、構成が比較的簡単となる。そのため、製造コストを低減できる。
【００４６】
以上、実施の形態に係る給湯部およびそれを備える給湯システムについて説明した。これらの実施の形態は例示であり、その各構成要素の組み合わせにいろいろな変形例が可能なこと、またそうした変形例も本発明の範囲にあることは当業者に理解されるところである。
【００４７】
（変形例１）
第１、第２の実施の形態では、タンクは仕切４４を有し、この仕切４４が移動することによって第１の領域３２ａの容量が変動する場合について説明したが、これに限られない。例えば、タンクは蛇腹構造を有し、それが伸縮することによってタンク３２の容量が変動するよう構成されていてもよい。つまり、第１の領域３２ａは、その容量が変動するよう構成されていればよい。
【００４８】
（変形例２）
第１、第２の実施の形態では、第２の領域３２ｂの領域が入水管４０と通じており、第２の領域３２ｂにかかる圧力によって仕切４４を移動させて第１の領域３２ａ内の湯水を流し出す場合について説明したが、これに限られない。例えば第２の領域３２ｂにバネを設け、このバネの付勢力によって仕切４４を移動させることにより第１の領域３２ａ内の湯水を流し出してもよい。
【００４９】
（変形例３）
実施の形態では特に言及しなかったが、加熱部３０による加熱を、制御部２４が制御してもよい。この場合、制御部２４は、加熱部３０内を水が流れたことを検知すると加熱部３０に加熱指示を送り、加熱部３０内を水が流れなくなると加熱部３０に停止指示を送る。
【００５０】
（変形例４）
第１、第２の実施の形態では、タンク３２が給湯部１４内に設けられる場合について説明したが、これに限られない。タンク３２は、給湯部１４とは別に設けられてもよい。この場合、既存の給湯部にタンク３２を追加することが可能である。
【００５１】
（変形例５）
第１、第２の実施の形態では、給湯システム１０は流量センサ３６を備え、水路を流れる流量をこの流量センサ３６により測定する場合について説明したが、これに限られない。例えば操作部１２で設定した流量から水路を流れる流量を判断してもよい。また、操作部１２の代わりに流量を調整する操作ハンドルを備える場合は、その操作ハンドルの開度等から流量を判断してもよい。
【００５２】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。
【符号の説明】
【００５３】
１０  給湯システム、  １４  給湯部、  ２２  吐出部、  ３０  加熱部、  ３２  タンク、  ３８  駆動部、  ４４  仕切。
【図１】
2016070570.tif 000003
【図２】
2016070570.tif 000004
【図３】
2016070570.tif 000005
【図４】
2016070570.tif 000006
【図５】
2016070570.tif 000007
【図６】
2016070570.tif 000008